(57)【要約】【課題】通信状態の異常による監視不能な被監視装置を発生させることがなく、ネットワーク監視の信頼性の向上を図ることが可能なネットワーク監視方法及びネットワーク監視装置を提供することを目的とする。【解決手段】ネットワーク監視部１０がポーリングノード指定し、各ノード２１、３１、３２、３３、３４、及び３５夫々がネットワーク監視部１０からポーリングの開始又は停止を指示された場合に、自ノードを含めてネットワーク監視部１０から指定されたノードに対するポーリング開始する及び停止する。これにより、ネットワーク管理システム１０が監視している通信ネットワーク上に回線障害等が発生しても、ネットワーク監視部１０からの指示で柔軟にポーリングノードを追加、削除することができ、ネットワーク障害時におけるネットワーク監視の信頼性の向上が図れる。【選択図】　図１
2004070649.tif 000002
【特許請求の範囲】
【請求項１】
複数の被監視装置のうちいずれか１つの被監視装置をポーリング装置とし、前記ポーリング装置によって前記複数の被監視装置をポーリングし、前記ポーリングの結果により前記複数の被監視装置を備えるネットワークを監視するネットワーク監視方法であって、
前記ネットワーク内に監視不能な被監視装置が発生する前記複数の被監視装置間の通信状態の異常を検出する異常検出ステップと、
前記ポーリング装置以外のうち少なくとも１つの被監視装置に前記ポーリングの開始を指示する信号を送信する送信ステップと、
前記信号に応じて、前記ポーリング装置以外のうち少なくとも１つの被監視装置が、前記複数の被監視装置に対して前記ポーリングを開始するポーリング開始ステップとを有することを特徴とするネットワーク監視方法。
【請求項２】
前記ポーリングの停止を指示する信号を送信する送信ステップと、
前記信号に応じて、前記ポーリングを開始した被監視装置が前記ポーリングを停止するポーリング停止ステップとを有することを特徴とする請求項１記載のネットワーク監視方法。
【請求項３】
前記ポーリング装置及び前記ポーリング装置以外のうち少なくとも１つの被監視装置の各々が、前記ポーリングを行う際、他の前記ポーリングを行う被監視装置からのポーリング要求の受け付けを停止するポーリング要求受付停止ステップを有することを特徴とする請求項１又は請求項２記載のネットワーク監視方法。
【請求項４】
前記ポーリング装置以外のうち少なくとも１つの被監視装置の各々が前記ポーリングを停止する際、他の前記ポーリングを行う被監視装置からのポーリング要求の受け付けを開始するポーリング要求受付開始ステップを有することを特徴とする請求項２記載のネットワーク監視方法。
【請求項５】
所定の被監視装置を前記ポーリングの対象から削除する指示を行う指示ステップと、
前記ポーリング装置及び前記ポーリング装置以外のうち少なくとも１つの被監視装置の各々が、前記指示に応じて前記所定の被監視装置を前記ポーリングの対象から削除する削除ステップとを有することを特徴とする請求項１乃至請求項４のいずれか記載のネットワーク監視方法。
【請求項６】
所定の被監視装置を前記ポーリングの対象に追加する指示を行う指示ステップと、
前記ポーリング装置及び前記ポーリング装置以外のうち少なくとも１つの被監視装置の各々が、前記指示に応じて前記所定の被監視装置を前記ポーリングの対象に追加する追加ステップとを有することを特徴とする請求項１乃至請求項５のいずれか記載のネットワーク監視方法。
【請求項７】
前記ポーリング装置及び前記ポーリング装置以外のうち少なくとも１つの被監視装置の各々から送信される前記複数の被監視装置の監視情報を受信する受信ステップと、
前記受信した監視情報の各々を合成する合成ステップとを有することを特徴とする請求項１乃至請求項６のいずれか記載のネットワーク監視方法。
【請求項８】
複数の被監視装置のうちいずれか１つの被監視装置をポーリング装置とし、前記ポーリング装置によって前記複数の被監視装置をポーリングし、前記ポーリングの結果により前記複数の被監視装置を備えるネットワークを監視するネットワーク監視装置であって、
前記ネットワーク内に監視不能な被監視装置が発生する前記複数の被監視装置間の通信状態の異常を検出する異常検出手段と、
前記ポーリング装置以外の少なくとも１つの被監視装置に前記ポーリングの開始を指示する信号を送信する送信手段と、
前記ポーリング装置及び前記ポーリング装置以外の少なくとも１つの被監視装置の各々から通知される複数の前記ポーリングの結果を合成するポーリング結果合成手段とを備えることを特徴とするネットワーク監視装置。
【発明の詳細な説明】
【０００１】
【発明の属する技術分野】
本発明は、複数の被監視装置で構成されるネットワークを監視するネットワーク監視方法及びネットワーク監視装置に関する。
【０００２】
【従来の技術】
図９は、従来のネットワーク監視方式による通信ネットワークの構成図である。同図において、従来のネットワーク監視方式では、ネットワーク監視部１００に接続されているノード（ポーリングノード）２１０のみが、ポーリングノード２１０自身と、他のノード３１０、３２０、３３０、３４０、及び３５０とをポーリングする構成となっている。
【０００３】
【発明が解決しようとする課題】
しかしながら、上記従来のネットワーク監視方式においては、ポーリングを実施するポーリングノードが常に固定されている為、例えば図９においてノード２１０とノード３３０との間の回線５００が障害等で切断されると、ノード３３０、３４０、及び３５０に対するネットワーク監視部１００からのポーリングが不可能となり、これらのノードが監視不能になってしまうという問題点がある。
【０００４】
本発明は、上記問題点に鑑みてなされたものであり、通信状態の異常による監視不能な被監視装置を発生させることがなく、ネットワーク監視の信頼性の向上を図ることが可能なネットワーク監視方法及びネットワーク監視装置を提供することを目的とする。
【０００５】
【課題を解決するための手段】
本発明のネットワーク監視方法は、複数の被監視装置のうちいずれか１つの被監視装置をポーリング装置とし、前記ポーリング装置によって前記複数の被監視装置をポーリングし、前記ポーリングの結果により前記複数の被監視装置を備えるネットワークを監視するネットワーク監視方法であって、前記ネットワーク内に監視不能な被監視装置が発生する前記複数の被監視装置間の通信状態の異常を検出する異常検出ステップと、前記ポーリング装置以外のうち少なくとも１つの被監視装置に前記ポーリングの開始を指示する信号を送信する送信ステップと、前記信号に応じて、前記ポーリング装置以外のうち少なくとも１つの被監視装置が、前記複数の被監視装置に対して前記ポーリングを開始するポーリング開始ステップとを有することを特徴とする。
【０００６】
これにより、複数の被監視装置間の通信状態に異常が発生した場合でも、複数の被監視装置全てに対してポーリングを行うことが可能となる。したがって、通信状態の異常による監視不能な被監視装置を発生させることがなくなり、ネットワーク監視制御の信頼性を向上させることができる。
【０００７】
又、本発明のネットワーク監視方法は、前記ポーリングの停止を指示する信号を送信する送信ステップと、前記信号に応じて、前記ポーリングを開始した被監視装置が前記ポーリングを停止するポーリング停止ステップとを有することを特徴とする。
【０００８】
これにより、ポーリングを開始した被監視装置に対してそのポーリングを停止させることが可能な為、通信状態の変化に柔軟に対応したネットワーク監視を行うことができる。
【０００９】
又、本発明のネットワーク監視方法は、前記ポーリング装置及び前記ポーリング装置以外のうち少なくとも１つの被監視装置の各々が、前記ポーリングを行う際、他の前記ポーリングを行う被監視装置からのポーリング要求の受け付けを停止するポーリング要求受付停止ステップを有することを特徴とする。
【００１０】
これにより、ポーリングを行う際は、他の被監視装置からのポーリング要求を受け付けない為、効率良くネットワークを監視することができる。
【００１１】
又、本発明のネットワーク監視方法は、前記ポーリング装置以外のうち少なくとも１つの被監視装置の各々が前記ポーリングを停止する際、他の前記ポーリングを行う被監視装置からのポーリング要求の受け付けを開始するポーリング要求受付開始ステップを有することを特徴とする。
【００１２】
これにより、ポーリングを停止した後は、他の被監視装置からのポーリング要求の受け付けが可能となる為、効率良くネットワークを監視することができる。
【００１３】
又、本発明のネットワーク監視方法は、所定の被監視装置を前記ポーリングの対象から削除する指示を行う指示ステップと、前記ポーリング装置及び前記ポーリング装置以外のうち少なくとも１つの被監視装置の各々が、前記指示に応じて前記所定の被監視装置を前記ポーリングの対象から削除する削除ステップとを有することを特徴とする。
【００１４】
これにより、被監視装置に異常が発生した場合でも、その異常な被監視装置をポーリング対象から外すことが可能な為、ネットワーク内の異常に柔軟に対応することができる。
【００１５】
又、本発明のネットワーク監視方法は、所定の被監視装置を前記ポーリングの対象に追加する指示を行う指示ステップと、前記ポーリング装置及び前記ポーリング装置以外のうち少なくとも１つの被監視装置の各々が、前記指示に応じて前記所定の被監視装置を前記ポーリングの対象に追加する追加ステップとを有することを特徴とする。
【００１６】
これにより、異常な被監視装置が正常に戻った場合でも、その被監視装置をポーリング対象に追加することが可能な為、ネットワーク内の異常に柔軟に対応することができる。
【００１７】
又、本発明のネットワーク監視方法は、前記ポーリング装置及び前記ポーリング装置以外のうち少なくとも１つの被監視装置の各々から送信される前記複数の被監視装置の監視情報を受信する受信ステップと、前記受信した監視情報の各々を合成する合成ステップとを有することを特徴とする。
【００１８】
これにより、ポーリングを行っている被監視装置からの複数のポーリング結果を合成することで、ネットワーク全体の状態を監視することができる。
【００１９】
本発明のネットワーク監視装置は、複数の被監視装置のうちいずれか１つの被監視装置をポーリング装置とし、前記ポーリング装置によって前記複数の被監視装置をポーリングし、前記ポーリングの結果により前記複数の被監視装置を備えるネットワークを監視するネットワーク監視装置であって、前記ネットワーク内に監視不能な被監視装置が発生する前記複数の被監視装置間の通信状態の異常を検出する異常検出手段と、前記ポーリング装置以外の少なくとも１つの被監視装置に前記ポーリングの開始を指示する信号を送信する送信手段と、前記ポーリング装置及び前記ポーリング装置以外の少なくとも１つの被監視装置の各々から通知される複数の前記ポーリングの結果を合成するポーリング結果合成手段とを備えることを特徴とする。
【００２０】
これにより、複数の被監視装置間の通信状態に異常が発生した場合でも、複数の被監視装置全てに対してポーリングを行うことが可能となる。したがって、通信状態の異常による監視不能な被監視装置を発生させることがなくなり、ネットワーク監視制御の信頼性を向上させることができる。又、ポーリングを行っている被監視装置の各々から通知されるポーリング結果を合成することで、ネットワーク全体の状態を監視することが可能となる。
【００２１】
【発明の実施の形態】
以下、本発明の実施形態について、図面を参照して説明する。
図１は、本発明の実施形態に係る通信ネットワークの構成図である。同図に示したように、ネットワーク監視部１０には、通信ポート２にノード２１が接続され、通信ポート３にノード３３が接続される。又、通信ポート１及び２は、それぞれ異なる通信ネットワークに接続されている。ノード２１とノード３３とは回線５０によって接続されており、ノード２１にはノード３１及びノード３２が接続され、ノード３３にはノード３４及びノード３５が接続されている。
【００２２】
本実施形態に係る通信ネットワークは、複数のノードから構成されるノード群を複数有し、各ノード群が回線によって接続されている構成のもの（図１）等、回線に異常があった場合に、物理的に監視不能なノードが発生してしまうような構成のネットワークであればどのような構成でも良い。
【００２３】
尚、ノード２１は、ネットワーク監視部１０からポーリング開始指示信号を受信しており、ノード２１、３１、３２、３３、３４、及び３５に対するポーリングを実施するポーリングノードとして機能している。
【００２４】
図２は、ノード２１の内部構成を示すブロック図である。なお、他のノード３１、３２、３３、３４、及び３５もノード２１と同一の構成である為、ノード２１についてのみ説明する。
【００２５】
ノード２１は、ポーリング指示信号受信部２１１、ポーリング対象ノード管理部２１２、ポーリング要求信号送信部２１３、ポーリング応答信号受信部２１４、ポーリング要求信号受信部２１５、ポーリング応答信号送信部２１６、ポーリング結果送信部２１７、及び制御部２１８を備えて構成される。
【００２６】
ポーリング指示信号受信部２１１は、ネットワーク監視部１０が送信したポーリング指示信号を受信する。ポーリング対象ノード管理部２１２は、ポーリングを行う対象となるポーリング対象ノードを管理するものであり、ポーリング指示信号受信部２１１で受信した指示信号によってポーリング対象ノードが更新される。ポーリング要求信号送信部２１３は、ポーリング対象ノード管理部２１２に設定されているポーリング対象ノードに対してポーリング要求信号を送信する。ポーリング応答信号受信部２１４は、ポーリング対象ノードに送信したポーリング要求信号に対するポーリング応答信号を受信する。
【００２７】
ポーリング要求信号受信部２１５は、ノード２１がポーリングノードでない場合（ポーリング対象ノードである場合）、ポーリングノードからポーリング要求信号を受信する。ポーリング応答信号送信部２１６は、受信したポーリング要求信号に対してポーリング応答信号を送信する。ポーリング結果送信部２１７は、ノード２１がポーリングノードである場合に、ポーリング結果をネットワーク監視部１０に送信する。制御部２１８は上記各部を制御する。
【００２８】
図３は、ネットワーク監視部１０の内部構成を示すブロック図である。
ネットワーク監視部１０は、ポーリングノード指定部１０１、監視対象ノード設定部１０２、監視ネットワーク管理部１０３、監視ノード管理部１０４、ポーリング指示信号送信部１０５（特許請求の範囲の送信手段に該当）、ポーリング結果受信部１０６、ポーリング結果合わせ込み部１０７（特許請求の範囲のポーリング結果合成手段に該当）、及び回線異常検出部１０８（特許請求の範囲の異常検出手段に該当）を備えて構成される。又、ネットワーク監視部１０は、通信ポート１〜４を使用して各通信ネットワークとの情報の送受信を行う。
【００２９】
ポーリングノード指定部１０１は、ネットワーク監視部１０のオペレータが、監視する通信ネットワーク毎にポーリングノードを設定したり、ポーリングノードを削除したりする為のものであり、次の情報が指定可能である。
【００３０】
・ポーリング開始／停止
・監視ネットワーク識別子
・使用する通信ポート番号
・通信ポートと接続するノード番号
【００３１】
監視対象ノード設定部１０２は、ネットワーク監視部１０のオペレータが、監視対象となるノードを追加したり、削除したりする為のものであり、次の情報が指定可能である。
【００３２】
・ノードの監視開始／停止
・監視対象となるノード番号
【００３３】
監視ネットワーク管理部１０３は、ポーリングノード指定部１０１によって設定された監視ネットワークと通信ポートの関連を管理する。監視対象ノード管理部１０４は、監視対象ノード設定部１０２によって設定された監視対象ノード番号を管理する。ポーリング指示信号送信部１０５は、ポーリングノード指定部１０１及び監視対象ノード設定部１０２からの通知によって指定された通信ポートに対してポーリング指示信号を送信する。ポーリング結果受信部１０６は、ポーリングノードからのポーリング結果を受信する。
【００３４】
ポーリング結果合わせ込み部１０７は、１つのネットワークを複数の通信ポートに接続されたポーリングノードを用いてポーリングする場合、それぞれの通信ポートから通知されるポーリング結果を合わせ込む。回線異常検出部１０８は、通信ネットワーク上の回線の異常を検出し、異常を検出した場合、図示しないディスプレイ等にその旨を表示し、ネットワーク監視部１０のオペレータに通知する。
【００３５】
図４は、監視ネットワーク管理部１０３が保持する監視ネットワーク接続テーブル４０を示す図である。同図において、「監視ネットワーク識別子」の項目には、監視対象となる通信ネットワークの識別子が登録される。「通信ポート」の項目には、監視ネットワーク識別子が示す通信ネットワークに接続する為の通信ポートが登録される。「通信ポート接続ノード」の項目には、通信ポートに接続するノード番号が登録される。尚、これらの情報はポーリングノード指定部１０１にて変更可能である。
【００３６】
図５は、監視対象ノード管理部１０４が保持する監視対象ノード管理テーブル５０を示す図である。同図において、「監視ネットワーク識別子」の項目には、監視対象となる通信ネットワークを識別する為の識別子が登録される。「ノード番号」の項目には、監視ネットワーク識別子が示す通信ネットワークを構成するノードのノード番号が登録される。尚、これらの情報は監視対象ノード設定部１０２にて変更可能である。
【００３７】
図６は、ポーリング対象ノード管理部２１２が保持するポーリング対象ノード管理テーブル６０を示す図である。同図において、「ポーリング対象ノード番号」の項目には、ポーリング対象ノードのノード番号が登録される。尚、この情報はポーリング指示信号受信部２１１で受信した指示信号に基づいて、制御部２１８により変更される。
【００３８】
図７は、ポーリングノードからネットワーク監視部１０へのポーリング結果通知の例を示す図である。又、図８は、ネットワーク監視部１０内のポーリング結果合込み部１０７でポーリング結果を合わせ込んだ例を示す図である。
【００３９】
以上が、本実施形態に係る通信ネットワーク及びネットワーク監視部の各構成要素の説明である。
次に、本実施形態に係る通信ネットワークの監視方法（動作）について説明する。
【００４０】
まず、ネットワーク監視部１０からの指示により、通信ネットワークを構成する特定ノードをポーリングノードとする方法について説明する。この場合、図１においてノード２１とノード３３との間の回線５０に障害が発生し、ノード３３、３４、及び３５がネットワーク監視部１０から監視不能となり、ネットワーク監視部１０の通信ポート３とノード３３との間が公衆回線等で接続されていて通信可能な状態であるとする。
【００４１】
図３を参照してネットワーク監視部１０の動作について説明する。
監視ネットワーク識別子が２００である通信ネットワークにおいて回線５０に障害が発生した際、ネットワーク監視部１０のオペレータは、ポーリングノード指定部１０１を使用して次の情報を指定する。
【００４２】
・ポーリング開始指示
・監視ネットワーク識別子２００
・通信ポート３
・ノード３３
【００４３】
上記情報は、監視ネットワーク管理部１０３内の監視ネットワーク接続テーブル４０に反映される。又、上記指定された情報に基づき、ポーリング指示信号送信部１０５は、通信ポート３を経由してノード３３に対して次の情報を含むポーリング開始指示信号を送信する。
【００４４】
・ポーリング開始指示
・ポーリング対象ノード：２１、３１、３２、３３、３４、３５
尚、上記ポーリング対象ノードは、監視ノード管理部１０４内の監視ノード管理テーブル５０の情報を参照することで得られる。
【００４５】
次に、ポーリング開始指示信号を受信したノード３３側の動作について図２を参照して説明する。
ノード３３のポーリング指示信号受信部２１１がポーリング開始指示信号を受信すると、制御部２１８により、ポーリング対象ノード管理部２１２内のポーリング対象ノードテーブルにポーリング開始指示信号に含まれるポーリング対象ノードが設定される。即ち、ここではノード２１、３１、３２、３３、３４、及び３５が設定される。又、制御部２１８は、ポーリング要求信号送信部２１３に対してポーリング開始指示を通知し、ポーリング要求信号送信部２１３はポーリング対象ノード管理部２１２内のポーリング対象ノードテーブル６０に設定されているノードに対してポーリングを開始する。
【００４６】
次に、ポーリングを開始したノードが他のポーリングノードからのポーリング受け付けを停止する方法について図２を参照して説明する。
ポーリング指示信号受信部２１１がポーリング開始指示信号を受信し、ポーリング対象ノード管理部２１２内のポーリング対象管理テーブル６０を制御部２１８が参照した結果、指示信号に含まれるポーリング対象ノードが全ノードであった場合、制御部２１８は、ポーリング要求信号受信部２１６に対して受信停止通知を行う。ポーリング要求信号受信部２１６では受信停止通知を受信すると、以降、制御部２１８から受信開始通知を受信するまで、他のポーリングノードからのポーリング要求信号を受け付けない、即ち、ポーリングノードとして機能するようになる。
【００４７】
次に、ネットワーク監視部１０からの指示でポーリングノードのポーリングを停止する方法について説明する。ここでは、図１において、回線５０が切断されてノード２１及びノード３３がポーリングノードである状態で、回線５０が復旧したことによるノード３３のポーリングの動作停止について説明する。
【００４８】
ネットワーク監視部１０の動作について図２を参照して説明する。
監視ネットワーク識別子２００が示す通信ネットワークにおいて回線５０が復旧すると、ネットワーク監視部１０のオペレータは、ポーリングノード指定部１０１を使用して次の情報を指定する。
【００４９】
・ポーリング停止指示
・監視ネットワーク識別子２００
・通信ポート３
・ノード３３
【００５０】
上記情報は、監視ネットワーク管理部１０３内の監視ネットワーク接続テーブル４０に反映され、監視ネットワーク接続テーブル４０から該当情報（監視ネットワーク識別子：２００、通信ポート：３、通信ポート接続ノード：３３）が削除される。更に、上記指定された情報に基づき、ポーリング指示信号送信部１０５は、通信ポート３を介してノード３３に次の情報を含むポーリング停止指示信号を送信する。
【００５１】
・ポーリング停止指示
・ポーリング対象ノード：２１、３１、３２、３３、３４、３５
尚、上記ポーリング停止対象ノードは、監視ノード管理部１０４内の監視対象ノード管理テーブル５０の情報を参照することで得られる。
【００５２】
次いで、ポーリング開始指示信号を受信したノード３３側の動作について図２を参照して説明する。
【００５３】
ポーリング指示信号受信部２１１がポーリング停止指示信号を受信すると、制御部２１８により、ポーリング対象ノード管理部２１２内のポーリング対象ノードテーブル６０の全ノード番号が削除される。又、制御部２１８は、ポーリング要求信号送信部２１３に対してポーリング停止を通知し、ポーリング要求信号送信部２１３は各ノードに対するポーリングを停止する。
【００５４】
次に、ポーリングを停止したポーリングノードが、他のポーリングノードからのポーリング受け付けを開始させる方法について図２を参照して説明する。
【００５５】
ポーリング指示信号受信部２１１がポーリング停止指示信号を受信し、制御部２１８が、ポーリング対象ノード管理部２１２内のポーリング対象管理テーブル６０を参照した結果、指示信号に含まれるポーリング削除対象ノードが全ノードであった場合、制御部２１８は、ポーリング要求信号受信部２１５に対して受信開始通知を行う。ポーリング要求信号受信部２１５は受信開始通知を受信すると、以降、制御部２１８から受信停止通知を受信するまで、他のポーリングノードからのポーリング要求信号を受け付ける、即ち、ポーリング対象ノードとして機能するようになる。
【００５６】
次に、ネットワーク監視部１０が、通信ネットワーク内の特定のポーリング対象ノードを削除する方法について説明する。この場合、図１において回線５０が切断されており、ノード２１及びノード３３がポーリングノードである状態において、ノード３５を監視対象から外す動作を例に説明する。
【００５７】
図３において、ネットワーク監視部１０のオペレータは、ノード３５の監視を停止する為に、監視対象ノード設定部１０２を用いて以下の情報を設定する。
【００５８】
・ノード３５
・監視停止
この情報が設定されると、監視対象ノード設定部１０２により、監視対象ノード管理部１０４内の監視対象ノード管理テーブル５０内の該当情報（ネットワーク識別子２００、ノード３５）が削除される。又、ポーリング指示信号送信部１０５は、監視対象ノード設定部１０２で設定された情報、監視ネットワーク接続テーブル４０、及び監視対象ノード管理テーブル５０を参照して、通信ポート２及び通信ポート３を介して、それぞれノード２１及びノード３３に対して次の情報を送信する。
【００５９】
・ポーリング停止指示
・ポーリング対象ノード：３５
【００６０】
図２において、上記指示信号を受信したノード２１及びノード３３では、制御部２１８により、ポーリング対象ノード管理部２１２内のポーリング対象ノード管理テーブル６０から番号３５（ノード３５）が削除される。これにより、ノード２１及びノード３３のポーリング対象ノードからノード３５が外れる。
【００６１】
次に、ネットワーク監視部１０が、特定のポーリング対象ノードの追加を指示する方法について説明する。この場合、図１において、回線５０が切断されており、ノード２１及びノード３３がポーリングノードである状態において、ノード３５を監視対象に加える動作を例に説明する。
【００６２】
図３において、ネットワーク監視部１０のオペレータは、ノード３５を監視対象ノードに追加する為に、監視対象ノード設定部１０２を用いて以下の情報を設定する。
【００６３】
・ノード３５
・監視開始
【００６４】
この情報が設定されると、監視対象ノード設定部１０２によって、監視対象ノード管理部１０４内の監視対象ノード管理テーブル５０に監視ネットワーク識別子２００、番号３５（ノード３５）の行が追加される。又、ポーリング指示信号送信部１０５は、監視対象ノード設定部１０２によって設定された情報、監視ネットワーク接続テーブル４０、及び監視対象ノード管理テーブル５０を参照して、通信ポート２及び通信ポート３を介して、それぞれノード２１及びノード３３に対して次の情報を送信する。
【００６５】
・ポーリング開始指示
・ポーリング対象ノード：３５
【００６６】
図２において、上記信号を受信したノード２１及びノード３３では、制御部２１８によって、ポーリング対象ノード管理部２１２内のポーリング対象ノード管理テーブル６０に番号３５（ノード３５）が追加される。これによってノード２１及びノード３３のポーリング対象ノードにノード３５が追加される。
【００６７】
尚、上記の説明では、ノード２１及びノード３３が供にポーリングノードとなっている状況を例に説明したが、図１において回線５０に異常がない場合は、ネットワーク監視部１０のポーリング指示信号送信部１０５が、ノード２１にのみ、ポーリング開始／停止指示及びポーリング対象ノードを送信する構成とすれば良い。
【００６８】
次に、１つの通信ネットワークを複数の通信ポートで監視する場合、複数のポーリングノードから通知される情報を合わせることによって、通信ネットワーク全体の状態を把握する方法を説明する。
【００６９】
図１において、回線５０が切断されており、ノード２１が、ノード２１、３１、及び３２に対して、又、ノード３３が、ノード３３、３４、及び３５に対してポーリングを実施している状態を例にして説明する。
【００７０】
ノード２１及びノード３３ともに、ノード２１、３１、３２、３３、３４、及び３５に対してポーリングを行うが、回線５０には障害が生じている為、ノード２１及びノード３３においてそれぞれ、次のノードからのポーリング応答が返らない。
【００７１】
・ノード２１：ノード３３、３４、３５
・ノード３３：ノード２１、３１、３２
この場合、図２のノード２１及びノード３３のポーリング結果送信部２１７は、ネットワーク監視部１０に対して図７に示したような情報を送信する。
【００７２】
上記情報をネットワーク監視部１０のポーリング結果受信部１０６が通信ポート２及び通信ポート３（図４参照）から受信すると、図７に示した受信情報及び受信した通信ポートをポーリング結果合わせ込み部１０７に伝達する。ポーリング結果合わせ込み部１０７は、監視ネットワーク管理部１０３内の監視ネットワーク接続テーブル４０から、通信ポート２及び３からの受信情報はどちらも監視ネットワーク識別子２００が示す通信ネットワークの情報であると認識し、図８に示したようにノード２１からのポーリング結果とノード３３からのポーリング結果とを合わせ込む。
【００７３】
尚、ネットワーク監視部１０において、１つの通信ネットワークを複数の通信ポートで監視するか、又は１つの通信ネットワークを１つの通信ポートで監視するかは、状況に応じてどちらかを選択することが可能である。
【００７４】
以上のように、本実施形態によれば、図１に示した通信ネットワークにおいて、回線５０に障害が生じた場合でも、ネットワーク監視部１０からの指示に基づいて、今までポーリング対象ノードだったノード３３を、ポーリングノードに変更することができる。又、複数のポーリングノードからのポーリング結果をポーリング結果合わせ込み部１０７で合わせ込むことで、通信ネットワーク全体のポーリング結果を得ることもできる。この為、通信ネットワークの回線障害等による監視不能ノードが発生することがなくなり、ネットワーク監視の信頼性の向上を図ることができる。
【００７５】
又、本実施形態によれば、ネットワーク監視部１０からの指示によりポーリングノードとなったノードは、他のポーリングノードからのポーリング要求を受け付けないようにしている為、効率良くポーリングを行うことができる。
【００７６】
又、本実施形態によれば、ネットワーク監視部１０からの指示によりポーリング対象ノードとなったノードは、他のポーリングノードからのポーリング要求が受け付け可能な状態になる為、効率良くポーリングを行うことができる。
【００７７】
又、本実施形態によれば、ネットワーク監視部１０からの指示により、通信ネットワークを構成する特定のノードを任意に削除又は追加することができる為、通信ネットワークにおいて何らかの障害が発生した場合等でも、その障害に柔軟に対応することができる。
【００７８】
【発明の効果】
通信状態の異常による監視不能な被監視装置を発生させることがなく、ネットワーク監視の信頼性の向上を図ることが可能なネットワーク監視方法及びネットワーク監視装置を提供することができる。
【図面の簡単な説明】
【図１】本発明の実施形態に係る通信ネットワークの構成を示すブロック図である。
【図２】本発明の実施形態に係る通信ネットワークのノードの構成を示すブロック図である。
【図３】本発明の実施形態に係る通信ネットワークのネットワーク監視部の構成を示すブロック図である。
【図４】本発明の実施形態に係るネットワーク監視部の監視ネットワーク管理部が保持する監視ネットワーク接続テーブルを示す図である。
【図５】本発明の実施形態に係るネットワーク監視部の監視ノード管理部が保持する監視対象ノート管理テーブルを示す図である。
【図６】本発明の実施形態に係るノードのポーリングノード管理部が保持するポーリング対象ノード管理テーブルを示す図である。
【図７】本発明の実施形態に係るポーリングノードからネットワーク監視部へのポーリング結果通知の例を示す図である。
【図８】本発明の実施形態に係るネットワーク監視部内のポーリング結果合わせ込み部で合わせ込んだ情報例を示す図である。
【図９】従来の通信ネットワークの構成を示すブロック図である。
【符号の説明】
１、２、３、４　通信ポート
１０、１００　ネットワーク監視部
１０１　ポーリングノード指定部
１０２　監視対象ノード設定部
１０３　監視ネットワーク管理部
１０４　監視ノード管理部
１０５　ポーリング指示信号送信部
１０６　ポーリング結果受信部
１０７　ポーリング合わせ込み部
１０８　回線異常検出部
２１、３１、３２、３３、３４、３５、２１０、３１０、３２０、３３０、３４０、３５０　ノード
２１１　ポーリング指示信号受信部
２１２　ポーリングノード管理部
２１３　ポーリング要求信号送信部
２１４　ポーリング応答信号受信部
２１５　ポーリング要求信号受信部
２１６　ポーリング応答信号送信部
２１７　ポーリング結果送信部
２１８　制御部
５０、５００　回線
【図１】
2004070649.tif 000003
【図２】
2004070649.tif 000004
【図３】
2004070649.tif 000005
【図４】
2004070649.tif 000006
【図５】
2004070649.tif 000007
【図６】
2004070649.tif 000008
【図７】
2004070649.tif 000009
【図８】
2004070649.tif 000010
【図９】
2004070649.tif 000011